(57)【特許請求の範囲】
【請求項１】
画像描画装置と画像表示装置を備え、
前記画像描画装置が、コントラスト、明るさ、γ特性などの画像表示特性データ（以下「画質データ」という）を画像が構成されているレイヤ毎に、階調データと共に、前記画像表示装置へ送信する手段を備え、
前記画像表示装置が、画面において論理的に最も上層に配置されるレイヤ(「第１のレイヤ」という)の前記画質データを用いて画面全体のγ補正回路を制御し、前記第１のレイヤ以外のレイヤにある画像については、前記第１のレイヤの画質データに適合するように画像処理を行う手段を備え、前記画質データとしては、原画像が有するレイヤ構造、γ特性、コントラスト、輝度、有効画像範囲に関するデータが前記画像描画装置から前記画像表示装置に送られる、ことを特徴とする画像表示システム。
【請求項２】
画像情報から映像信号を作成して画像表示装置に送信する画像描画装置が、
画像情報を構成する階調データと画質データとを分離する手段と、
前記階調データと前記画質データを、画面を構成するレイヤ情報と共に、前記画像表示装置へ送信する手段と、
を備え、
前記画質データとしては、原画像が有するレイヤ構造、γ特性、コントラスト、輝度、有効画像範囲に関するデータが前記画像描画装置から前記画像表示装置に送られ、
前記画像表示装置が、受信した前記階調データと前記画質データとから、表示画面において論理的に最も上層に配置される第１のレイヤの情報を用いて、少なくとも画面全体のγ特性を定め、第２のレイヤから第ｎのレイヤ（ただしｎは２以上の整数）の画像は、色管理画像処理手段を介し、前記第１のレイヤの画質データに基づき、パラメータの最適化が行われている画像表示デバイスに表示した際、誤差が少なくなるように画像処理を行い、画面全体における画質劣化を抑える、ようにしたことを特徴とする画像表示システム。
【請求項３】
前記画像表示装置が、入力された各レイヤの画質データを基にして、画像表示デバイスの特性を変換する処理を行う画質情報処理部と、
色管理画像処理回路と、を備え、
前記画質情報処理部は、最上層の第１のレイヤにおける画質データに基づき、前記画像表示デバイスに与える階調電圧データに変換し、
最上位レイヤ以外のレイヤにおける画質データは、最上位の画質データと共に、前記色管理画像処理回路に送られ、
前記色管理画像処理回路は、画像の階調データに対して、前記第１のレイヤを基準とした画像処理を施し、階調電圧発生回路から得られる階調電圧と掛け合わせることによって、駆動電圧を発生させ、前記画像表示デバイスにより表示を行なわせる、ことを特徴とする請求項１又は２に記載の画像表示システム。
【請求項４】
前記画像表示装置から前記画像描画装置側へ前記画像表示装置の動作状況を伝える手段を備えたことを特徴とする請求項１乃至３のいずれか一に記載の画像表示システム。
【請求項５】
前記画像表示装置において、電源投入時やリセット時における画質情報の初期設定データが設定される初期設定記憶部を備え、前記画像表示装置は、前記画像描画装置から送信されてきた画質データの中で第１のレイヤの画質情報を用いて階調電圧発生回路における全画面におけるγ補正パラメータを規定し、
電源投入時やリセット時など動作が不定になる場合には、前記初期設定記憶部に記録されている画質データを用いて、前記階調電圧発生回路や、前記色管理画像処理回路におけるγ補正、及びカラーマッチング機構の設定パラメータを設定し画面表示を行う、ことを特徴とする請求項１乃至３のいずれか一に記載の画像表示システム。
【請求項６】
画像描画装置から送信されてきた画像データを構成する階調データと、原画像が有するレイヤ構造、γ特性、コントラスト、輝度、有効画像範囲に関するデータの少なくとも一つを含む画質データに基づき、最上層の第１のレイヤの情報を用いて、画面全体のγ補正回路を少なくとも制御し、第２のレイヤから第ｎのレイヤ（ただし、ｎは２以上の整数）の画像は、前記第１のレイヤの画質データに適合するように画像処理を行う手段を備え、画面全体における画質劣化を抑える、ことを特徴とする画像表示装置。
【請求項７】
前記各レイヤの画質データを基にして、画像表示デバイスの特性を変換する処理を行う画質情報処理部を備え、
前記画質情報処理部は、最上位のレイヤにおける画質データに基づき、画像表示デバイスに与える階調電圧データに変換し、
最上位レイヤ以外のレイヤにおける画質データは、最上位の画質データと共に、色管理画像処理回路に送られ、前記色管理画像処理回路は、画像の階調データに対して、第１のレイヤを基準とした画像処理を施し、階調電圧発生回路から得られる階調電圧と掛け合わせることによって、駆動電圧を発生させ、前記画像表示デバイスに表示を行なわせる、ことを特徴とする請求項６記載の画像表示装置。
【請求項８】
電源投入時やリセット時における画質情報の初期設定データが設定される初期設定記憶部を備え、前記画像表示装置は、前記画像描画装置から送信されてきた前記画質データの中で第１のレイヤの画質情報を用いて前記階調電圧発生回路における全画面におけるγ補正パラメータを規定し、
電源投入時やリセット時など動作が不定になる場合には、前記初期設定記憶部に記録されている画質データを用いて、前記階調電圧発生回路や前記色管理画像処理回路におけるγ補正、及びカラーマッチング機構の設定パラメータを設定し画面表示を行う、ことを特徴とする請求項７記載の画像表示装置。
【発明の詳細な説明】
【技術分野】
【０００１】  本発明は、画像表示装置に関し、特に、画像描画装置から画像表示装置へ画像データを送信して表示する画像表示システムに関する。
【背景技術】
【０００２】  図６を参照して、従来の電子画像表示システム（「画像表示システム」という）について説明する。パソコンなどに代表されるコンピュータシステムにおいては、マンマシンインターフェースとしてディスプレイなどの画像表示装置２は欠かせないものとなっている。【０００３】  このコンピュータシステムにおいて、情報を表示する画像表示部９としては、ＣＲＴ（陰極線管）モニター等が一般的に用いられており、画像描画装置１と画像表示装置２の間は、画像データを伝送する通信ケーブル１０と、画像表示タイミングを画像表示装置２へ伝送する通信ケーブル１１とが独立して設置されている。【０００４】  画像データを伝送する通信ケーブル１０は、光の３原色（赤、緑、青）それぞれに１本つつ割り当てられており、伝送される画像データ信号は、振幅幅１Vp-pの振幅変調されたアナログ信号である。【０００５】  また、画像データを表示するために必要な同期信号を伝達する通信ケーブル１１としては、垂直同期信号と水平同期信号の２本が用いられる。【０００６】  電子スチルカメラや画像処理ソフトなどにより作成され、電子的なデータとして記録媒体等に記録されている画像データ３は、演算処理装置４により表示制御部５に送られて、映像信号とされる。【０００７】  また、演算処理装置４においては、グラフィカルユーザーインターフェースシステム（ＧＵＩ）をサポートするソフトウェアなどにより各種のソース画像が同一画面に展開される場合もある。この場合、画像データ３は、演算処理装置４において、各種の原画像がミックスされた形で表示制御部５に送られて、表示制御部５で映像信号が出力される。【０００８】  表示制御部４においては、演算処理装置４から送られてきた原画像データを光の３原色である、赤・緑・青（ＲＧＢ）への分離と、画像データと画像の表示タイミングを画像表示装置２に知らせる同期データへの分離、ラスタースキャンへの信号変換が行われ、ＲＧＢからなる画像データは、画像データを送り出す通信ケーブル１０へ供給され、同期信号は、同期信号を送り出す通信ケーブル１１へ供給される。【０００９】  画像表示装置２においては、画像データを送る通信ケーブル１０を介して送られてくる画像データのままでは、実際の表示が行えないため、信号の増幅や画像表示デバイス９の光強度対電圧特性に合わせたγ補正が行われる。【００１０】  このとき、γ補正回路６には、γ補正係数７として、入力される画像データの階調特性と画像表示デバイスの光強度対電圧特性の関係が与えられる（両回路が一体化している場合もある）。【００１１】  そして、γ補正回路６でγ補正がかけられた映像信号と、通信ケーブル１１を介して送られてくる同期データとが、表示制御回路８に与えられ、表示制御回路８で画像表示デバイス９を駆動する信号に変換され、画像表示デバイス９に画像が表示される。【００１２】  また、画像表示装置２の多くは、ユーザーの好みに合わせて、表示制御回路８へ表示画像のコントラスト比や明るさを微調整する機構を具備している。【００１３】  図６に示した従来の画像表示システムでは、上記のような段階を経て、画像表示を行う。信号の流れを調べると、図６の場合、画像データ３から供給されるも���は、画像の階調データのみである。【００１４】  その後、演算処理装置４、表示制御部５により階調信号データの表現形式が変換されて行き、γ補正回路６での処理を経て、実際の画像表示デバイス９で表現される際のコントラスト値や明るさなど画質に関する情報が付加され実際の表示画像データとなる。【００１５】  したがって、原画像データ３から画像表示デバイス９で実際に表示を行うまでの間に保存されているデータは、画像の階調データのみであり、画像データ３を作成する際に想定されていたコントラスト比やγ特性、必要な明るさなどの画質に関する情報は欠落している。
【発明が解決しようとする課題】
【００１６】  このように、上記した従来の画像表示システムにおいて、原画像データ３から画像表示デバイス９で実際に表示を行うまでの間に保存されているデータは、画像の階調データのみであり、画質を決定する要因は、いずれの段階においても考慮されていない。
【００１７】  特に、画像表示装置２側において、コントラストや明るさ、場合によっては、色温度など、画質に関係しているパラメータに対して、ユーザーの介入（設定操作）を認めており、これは、従来の画像表示システムにおいて、画像表示デバイスに表示された画像が、画像データ３を作成した際の画像を忠実に再現しているとは限らないことを暗示している。
【００１８】  また、画質情報の付加を画像表示装置２で行っているため、各種の静止画や動画を同時に、もしくは切り替えて表示を行う場合、画像データ３として供給されている原画像がすべて同一の画質パラメータで作成しているとは限らない。
【００１９】  そのため、画像を切り替えた際に、すべての原画像が、要求する表示特性を確実に再現することはできない。
【００２０】  例えば、コンピュータ画像を表示する場合、コントラストが高めでシャープな画像の方が好まれる。このため、画像表示装置の特性をコンピュータ画像の出力特性に合わせていた場合、直線的なγ特性を想定した動画などの画像データ３を表示すると、黒くつぶれたうえに、画像のコントラスト比が高すぎるため、平坦な画像が表示されてしまい、見づらくなるのである。
【００２１】  このような問題に対して、画質を含めて原画像を忠実に再現する従来の方法が、例えば文献（1999年１月発行の日経バイト誌152頁）等に詳しく説明されている。これら従来の方法のうち、画像表示装置の表示特性をセンサーなどによって測定してデータとすることにより、予め画像描画装置に通知し、画像描画装置側で原画像が要求する階調特性に合わせて、画像の階調を修正し出力するシステムや、ソフトウェアで管理しようとする試み(Microsoft社のIntegrated Color Management)が存在する。
【００２２】  しかしながら、この方法では、階調特性を直線に補正するため、階調数を犠牲にして、直線的となる階調成分だけ抜き出して利用している。そのため、画像表示システムが当初保有していた階調数すべてを利用することができず、フルカラー（ＲＧＢ各色256階調）を前提として作成されている画像データを表示する場合、階調数の減少から、画質の低下を招く可能性があるという問題点を有していることの他、全画面に対して画一的なγ補正を行うため、現在のパソコンシステムで主流である一つの画面を仮想的に多数のレイヤ構造としていくつものソフトウェアの表示を各レイヤに分配して表示するウィンドウ形式の表示を行った場合、すべてのレイヤに対して最適化がなされていない、という問題点もある。
【００２３】  上記した問題点は、従来の画像表示システムにおいて、信号処理を行う各ブロックに画像の画質を管理する機構が無く、各々のブロック毎に基準無くして画像を表示していることに根本の原因が存在する。
【００２４】  また、装置としては、画像表示装置側で画像表示特性を決めるコントラスト、明るさ、γ補正特性などの値が、入力される画像データとは独立した値で、固定的とされており、入力される画像データによって、個別に調整を行うことができない。その結果、画像表示装置の側で原画像が想定している画像表示特性を再現していることを保証できないことに起因する。
【００２５】  したがって、本発明は、上記課題の認識に基づき創案されたものであって、その主たる目的は、画像表示装置側に画像表示特性を原画像データに合わせて適時調整する機構を具備させ、画質の低下を伴わず各種原画像を鑑賞し得る画像表示システムを提供することにある。これ以外の本発明の目的、特徴、利点等は以下の実施の形態の説明から、当業者には直ちに明らかとされるであろう。
【課題を解決するための手段】
【００２６】  上記の目的を実現するため本発明は、画像描画装置と、前記画像描画装置から送信される画像データを受け取り表示する画像表示装置と、を含む画像表示システムにおいて、前記画像描画装置が前記画像データとともに、少なくとも画像表示特性に関する情報（以下「画質データ」という）を前記画像表示装置へ送信する手段を備え、前記画像表示装置が、前記画像描画装置から送信された前記画像データと前記画質データとに基づき表示する画像を補正して表示する手段を備える。
【００２７】  本発明は、画像描画装置と、前記画像描画装置から画像データを受け取り表示する画像表示装置と、を含む画像表示システムにおいて、前記画像描画装置により再構成される画像情報を、該画像を構成する階調データと画質データおよび画面構成指示データとに分離し、前記分離された階調データおよび前記画面構成指示データを前記画像表示装置へ送信する手段を備え、前記画像表示装置が、前記画像描画装置から送信された前記階調データと前記画質データと前記画面構成指示データとを受信し、前記階調データと前記画質データと前記画面構成指示データとに基づき表示する画像を補正して表示する手段を備える。
【００２８】  本発明においては、画質データを画像が構成されているレイヤ毎に階調データと共に画像描画装置から画像表示装置へ送信し、論理的に最も表面に配置されたレイヤ（「第１のレイヤ」という）の画質データを用いて画面全体の補正を制御し、第１のレイヤ以外のレイヤにある画像については、第１のレイヤの画質データに適合するように画像処理を行う。
【発明を実施するための形態】
【００２９】  本発明の実施の形態について以下に説明する。まず、本発明の原理について説明し、つづいて実施例に即して詳細に説明する。
【００３０】  図６に示した従来の画像表示システムにおいては、画像表示デバイス９において実際に表示される画像が、元の画像を作成した環境で得られた画像データ３とは異なる場合がある。この原因は、従来の画像表示システムにおいては、画像データ３から画像表示デバイス９までの間で保存されている情報が、画像の階調データのみであることに起因している。
【００３１】  また、近時、パーソナルコンピュータのウィンドウ表示方式等によってマルチレイヤで構成された画面では、多数のアプリケーションが同一の画面を用いて作業を行うため、どれか一つの画像に対して画像表示装置２のγ補正などを行う色管理画像制御機構の補正係数を規定してしまうと、その他のウィンドウ画像の表現が適切でなくなる可能性がある。
【００３２】  そこで、画像表示システム全体において、画質データも保存する方法を鋭意検討した結果、本発明を完成するに至った。
【００３３】  本発明は、従来管理されていなかった、コントラスト、明るさ、γ特性などの画像表示特性データ（以下「画質データ」という）を、画像が構成されているレイヤ毎に、階調データと共に、画像描画装置から画像表示装置へ送り、論理的に最も表面（上層）に配置されたレイヤ（「第１のレイヤ」という）の画質データを用いて、画面全体のγ補正回路を制御し、第１レイヤ以外のレイヤにある画像については、第１のレイヤの画質データに適合するように、画像処理を行う。このように、本発明によれば、画像表示装置側に、面像表示特性を原画像データに合わせて適時調整する手段を具備させ、画質の低下を伴わず各種原画像を鑑賞し得るようにしている。
【００３４】  前述した従来の画像表示システムにおいて画像データを構成している画質データと階調データが曖昧な形で共存し、曖昧な形で処理、伝送されていた部分に、本発明は改善を施している。
【００３５】  本発明に係る画像表示システムにおいては、画面（画像データ）を構成する階調データと、画面を構成する画像のレイヤ関係、および各レイヤにおける画質データを、画像描画装置から画像表示装置に伝送し、画像表示装置において、送られてきた階調データと画質データから第１のレイヤの画質データを用いて、画像表示装置全体の色管理機構を初期化し、第２のレイヤから第ｎのレイヤでは、第１のレイヤの画質データで初期化された色管理機構で、最も再現性良く表示するように画像処理を行う。
【実施例】
【００３６】  次に、本発明の実施例について図面を参照して詳細に説明する。【００３７】  ［実施例１］
本発明の第１の実施例について図１と図２を参照して説明する。図１は、本発明の一実施例の基本構成と、その動作原理を説明するための図である。【００３８】  図６に示した従来の画像表示システムでは、不完全な画質データを含んだ階調データのみで構成された画像データ３を、１つの原画像として扱っていたのに対し、本発明においては、図１に示すように一つの画像データ３を、階調のみで構成された階調データ１９と、画像データ３を作成した時に作者が想定した画質情報である画質データ１２を用い、多数の画像データ３が存在する際には、各々の画像データに対して、同様にして、それぞれ、階調データ１９と画質データ１２とを分けて定義する。【００３９】  この際に、各々の画像データ３における画質データ１２は、階調データ１９に必ずしも一体化している必要はなく、例えば別のファイルもしくはデータベースから抽出して合成してもよい。【００４０】  現在コンピュ一タシステムなどでは、図２に模式的に示したように、一つの画面を、第１レイヤ〜第ｎレイヤまでの仮想画面（図２（ａ）参照）を構成し、その一つのレイヤに一つのアプリケーションを特定の矩形領域に割り当て、第１レイヤから第ｎレイヤまでを、画像処理装置４および表示制御部５にて、オーバーラップして合成する（図２（ｂ）参照）ことで表示している。【００４１】  第１レイヤから第ｎレイヤで表示される画像は、それぞれ別（場合によっては同一アプリケーションが多数のレイヤを使う場合もある）のアプリケーションにより、画像描画されており、それぞれの画像において想定しているγ特性などの画質データは異なることが考えられる。【００４２】  この画像を、画像表示装置２で再生する際には、レイヤ配列が重要になる。レイヤ配列を、画像描画装置１から画像表示装置２に送る方式としては、
・現在選択されておりアクティブとなっている画面を第１レイヤとし、一つ下のレイヤを第２レイヤ…として扱う方法や、
・画質データとして、レイヤの順番を示す情報を付加することにより、各レイヤの配置がどのようになっているかを画像描画装置１から画像表示装置２へ送る方法などがある。本発明においては、いずれの方法を用いてもよい。【００４３】  表示制御部５からは、合成された画像における画面の階調データを階調データを送る通信ケーブル１０に出力し、画面を表示する際に必要な同期データを通信ケーブル１１を介して送出する。【００４４】  また、第１から第ｎまでのレイヤにおける画質データには、それぞれ有効画面位置情報を付加し、各レイヤ別に、画質データを送る通信ケーブル１３へ送出され、画像表示装置２に入力される。【００４５】  画像表示装置２に用いられる画像表示デバイスとしては、各種ディスプレイが適用可能である。本説明の一実施例においては、画像表示装置として液晶ディスプレイ（ＬＣＤ）などのフラットパネルディスプレイを想定して、説明を行う。【００４６】  図１に示した構成では、表示制御部５からの映像出力はアナログ信号であるものとしている。そのため、画像表示デバイス９として、液晶ディスプレイを用いる際には、一般的に入力されたアナログ信号をＡ／Ｄ変換部１４にてデジタル信号に変換し、デジタル的な階調データとする。【００４７】  一方、第１レイヤから第ｎレイヤまでの、各レイヤ別のγ特性やコントラスト、輝度、有効画像範囲などの画質データは、表示制御部５から画像表示装置２に画質データを伝送する通信ケーブル１３を介して、画質情報処理部１５に入力される。【００４８】  画質情報処理部１５では、入力された各レイヤの画質データを基にして、’画像表示デバイスの特性を変換する処理を行う。【００４９】  本発明の一実施例では、画質データとしては、例えば原画像が有するレイヤ構造、γ特性、コントラスト、輝度、有効画像範囲に関するデータが送られてくる。【００５０】  多数のレイヤからなる画像データが画像描画装置１から送られてくる場合には、最も上に配置されたレイヤの画像をユーザーが注視していることが考えられるため、画像情報処理部１５は、最上位のレイヤにおける画質データに基づき、γ特性やコントラストといった、画像表示デバイス９をなす液晶ディスプレイの液晶素子の駆動に関する部分は、液晶を駆動するドライバに与える階調電圧データという形に変換され、表示輝度に関する情報は、液晶ディスプレイの背後に配置されているバックライトの発光輝度を制御する。【００５１】  また、最上位以外のレイヤについては、ユーザによって常に注視されているわけではないことから、可能な限り、原画像に近い画像で表現すれば、特に問題は生じない。【００５２】  そこで、最上位レイヤ以外のレイヤにおける画質データは、最上位の画質データと共に、色管理画像処理回路１７に送られ、最上位レイヤの画質データに基づき、パラメータの最適化が行われている画像表示デバイス９に表示した際、誤差が少なくなるように、画像処理が加えられる。【００５３】  従って、色管理画像処理回路１７は、Ａ／Ｄ変換部１４から与えられる画像の階調データに対して、第１レイヤを基準とした画像処理を施し、階調電圧発生回路１６から得られる階調電圧と掛け合わせることによって、実際の駆動��圧を発生させ、画像表示デバイス９により表示を行なわせる。【００５４】  このとき、与えられる画質データは、表示されるドット単位で与えられる場合、ライン単位で与えられる場合、フレーム単位で与えられる場合がある。いずれの場合においても、原画像の映像データを、階調成分と画質成分に分離して画像表示装置２側で実画像に再構成するものであるため適用可能である。【００５５】  本発明によれば、多数のアプリケーションを用いて一つの画面を共有するウィンドウ表示においても、アクティブになっている画面の画質は完全に保存され、原画像の画質を損なうことなく、忠実に画像表示デバイスに与えることが可能となり画像の再現性を高めることが可能となる。【００５６】  また、画像描画装置１から画像表示装置２へ送る画質データとして、本実施例においては、レイヤ構成情報、有効画像位置情報、画像のγ特性、コントラスト、輝度を例に説明したが、表示色に関するパラメータなど、別の画質データを付加するようにしてもよい。あるいは、一部のデータは利用しないようにしても、原画像を画像の階調成分と画質成分に分離して、画像描画装置から画像表示装置へ送るという効果に変化はなく、有効である。【００５７】  また、前記第１の実施例を説明する際に、画質データは、表示制御部５から画像表示装置２へ送られる形態となっているが、必ずしも表示制御部５から送出する必要はない。例えば、演算処理装置４から、階調データ１０とは分岐して、画質データを画像表示装置２へ送る構成としても、本発明の効果を得ることができる。【００５８】  また、本実施例においては、伝送される階調データがアナログ信号からなるものとして説明したが、階調データを、デジタルデータとして、画像描画装置１から画像表示装置２へ伝送する構成とした場合には、画像表示装置側２内のＡ／Ｄ変換部１４が不要となる。本発明においては、かかる構成としてよいことは勿論である。また、画質データとしては、アナログ信号であっても、デジタル信号であってもよい。【００５９】  また、前記第１の実施例では、画像描画装置１から画像表示装置２に送られる階調データと画質データおよび同期データは、異なる通信ケーブルを用いて伝送される例を示したが、いずれか２つのデータが同一通信ケーブル上で合成されていてもよく、あるいは、すべてのデータが同一ケーブルに重畳されていてもよい。さらに、階調データと画質データおよび同期データは、デジタルデータとして時分割で転送されても、周波数分割で転送されても、パケット形式で転送される構成としてもよいことは勿論である。【００６０】  また、画質データを送信する手段としては、USB（Universal Serial Bus）やIEEE1394、RS232C、RS422などの規格に代表されるような既存の通信回線を用いても、さらには、無線通信や赤外線通信などの方式を用いてもよい。【００６１】［実施例２］
次に、本発明の第２の実施例について説明する。図３は、本発明の第２の実施例の構成を示す図である。前記第１の実施例では、画像表示装置２は、画像描画装置１から通信ケーブルを介して送られる画像データを受信し表示するのみであるため、画像描画装置１側では、画像表示装置２側が現在どのような画像を想定して表示しているかがわからず、場合によっては、両者の設定値の間に差が生じてしまうという可能性も存在している。【００６２】  そこで、本発明の第２の実施例においては、図３に示すように、画像表示装置における動作状況を画像描画装置１側でモニターできるように画像表示装置２から画像描画装置１側へ動作状況を伝える通信ケーブル２０が設けられている。【００６３】  たとえば画像表示装置２側における、Ａ／Ｄ変換部１４のパラメータ、γ補正パラメータ、バックライトの明るさや制御状況、色管理パラメータ等を、通信ケーブル２０を介して、画像描画装置１の演算処理装置４や表示制御部５に知らしめる。【００６４】  このように、本発明の第２の実施例においては、画像描画装置１と画像表示装置２間を双方向の通信回線で接続することにより、画像描画装置１と画像表示装置２とが協調して、画像管理を行うことができる。【００６５】  また、本発明の第２の実施例においては、画像描画装置１の電源投入後に画像表示装置２の電源が投入されたような場合や、画像表示装置２の電源を入れ直したような場合においても、即座に状況を、画像描画装置１に通知することができる。この結果、画像表示装置２の電源投入直後から画質劣化のない安定した画像を表示することができる。【００６６】  また、本発明の第２の実施例においては、ユーザーの好みを画像描画装置１で学習することも可能となるという利点も有している。【００６７】  図３においては、画像表示装置２から画像描画装置１に信号を送る通信ケーブル２０が、画像描画装置１から画像表示装置２へ送る通信ケーブル１０、１１、１３とは別に設けられているが、画像表示装置２から画像描画装置１へ送るデータを伝送するための通信ケーブル２０は、画質データを送る通信ケーブル１３や階調データを送る通信ケーブル１０、同期データを送る通信ケーブル１１に、周波数多重方式や、時分割方式により、重畳させる構成としてもよい。また有線伝送によらず、電磁波や赤外線等による無線伝送を用いてもよい。【００６８】  さらには、通信ケーブル２０は、従来から用いられている、USBやIEEE1394、RS232CやRS422などの規格に代表されるような既存の通信回線を用いてもよい。【００６９】  ［実施例３］
次に、本発明の第３の実施例について説明する。本発明の第３の実施例においては、画像表示装置２に初期設定記憶部２１を設けることにより、画像表示装置２の電源が投入された直後や画像表示装置２がリセットされた場合において、動作が不安定になることを防ぐようにしている。図４は、本発明の第３の実施例の構成を示す図である。図４を参照すると、初期設定記憶部２１は、画像表示装置２において、電源投入時やリセット時における画質情報の初期設定データが入力される。画像表示装置２は、通常、画像描画装置１から送信されてきた画質データの中で第１レイヤの画質情報を用いて階調電圧発生回路１６における全画面におけるγ補正パラメータを規定する。【００７０】  電源投入時やリセット時においては、画像描画装置１からの画質データ転送がタイミング良く受け取ることができるか不明であり、場合によっては、正常ではない表示を行う可能性もある。【００７１】  そこで、本発明の第３の実施例においては、初期状態など動作が不定になる場合には、初期設定記憶部２１に記録されている画質データを用いて、階調電圧発生回路１６や、色管理画像処理回路１７におけるγ補正や、カラーマッチング機構の設定パラメータを設定し、正常な画面を表示し続けることを可能としている。【００７２】  かかる構成の本発明の第３の実施例においては、何らかの問題が生じて画像描画装置１から画質データが画像表示装置２に送信されず、階調データのみが画像表示装置２に送信された場合においても、初期設定記憶部２１に記憶されている画質データを用いて、階調電圧発生回路１６や色管理画像処理回路１７、バックライト１８などγ補正やカラーマッチングなどを担う回路パラメータを設定することで、動作が不安定になることを防ぐことができる。【００７３】［実施例４］
次に、本発明の第４の実施例について説明する。本発明の第４の実施例においては、観察者が標準的な画質補正では満足せずに、手動により画質調整を行うための機能を付加している。図５は、本発明の第５の実施例の構成を示す図である。図５を参照すると、本発明の第４の実施例においては、観察者の好みを入力する微調整入力部２２を備えており、画像描画装置１から送られてくる画質データと比較し、差分のデータを初期設定記憶部２１に記憶させる。【００７４】  かかる構成の本発明の第４の実施例においては、画像描画装置１から送られてくる、仮想的に多層構造からなる画像のデータに対して、第１レイヤ以外の第２レイヤから第ｎレイヤまでの画像について、色管理画像処理回路１７において転送されてきた画質データと、初期設定記憶部２１に記憶されている補正データを使うことで画像処理を加えることで、すべてのレイヤにおいて、良好な画質を保存することを可能としている。【００７５】  なお、本発明の第１の実施例から第４の実施例において、画像表示装置２側から画像描画装置１側への信号の伝送の方法は特に一の方法に限定されるものでなく、任意の伝送方式に適用可能である。例えば、画像表示装置２側から画像描画装置１側への通信手段として、無線、有線、光ケーブル、電線、各種ケーブルへの重畳、汎用のバスを介しての伝送などを、アプリケーションに応じて適宜用いてもよいことは勿論である。【００７６】  また、画像描画装置１と画像表示装置２の物理的な距離が短距離であるか否かは任意であり、さらに画像描画装置１と画像表示装置２が同一筐体に設けられているか、別筐体であるか等パッケージングの差異等は任意であり、本発明は特定の構成に限定されるものでなおことは勿論である。
【発明の効果】
【００７７】  以上に説明したように、本発明によれば、画像データとして画質データ及び画面構成指示データを画像表示装置に送信する構成としたことにより、全画面表示だけではなく、多数のアプリケーションが同一の画面を共有する画像においても、原画像の画質に忠美な画像の再現を可能としている、という効果を奏する。
【図面の簡単な説明】
【図１】  本発明の第１の実施例の構成を示す図である。
【図２】  本発明の第１の実施例における仮想画面構成を示す図である。
【図３】  本発明の第２の実施例を示す図である。
【図４】  本発明の第３の実施例を示す図である。
【図５】  本発明の第４の実施例を示す図である。
【図６】  従来の画像表示システムの構成を示す図である。
【符号の説明】  １  画像描画装置
２  画像表示装置
３  画像データ
４  演算処理装置
５  表示制御部
６  γ補正回路
７  γ補正係数設定部
８  表示制御回路
９  画像表示デバイス
１０  画像データ用通信ケーブル
１１  同期データ用通信ケーブル
１２  画質データ
１３  画質データ用通信ケーブル
１４  Ａ／Ｄ変換部
１５  画質情報処理部
１６  階調電圧発生回路
１７  色管理画像処理回路
１８  バックライト
１９  階調データ
２０  帰還データ用通信ケーブル
２１  初期設定記憶部
２２  微調整入力部
【図１】
0005232964.tif 000002
【図２】
0005232964.tif 000003
【図３】
0005232964.tif 000004
【図４】
0005232964.tif 000005
【図５】
0005232964.tif 000006
【図６】
0005232964.tif 000007